(57)【要約】【課題】  回復途上の患者がベットで、医師の指導の下で自発的に、叉在宅で看護士や家族の看護の下で、リハビリが出来る装置を提供する。【解決手段】  ベットをリクライニングし、ソファ−として使用出来る可動の装置と、リハビリの出来る装置を備えた、リハビリベット。【選択図】  図１
2006346382.tif 000002
【特許請求の範囲】
【請求項１】
事故の怪我や、脳梗塞等の病気で回復途上の入院患者のベットが電動モ−タ−をリモコン操作で、床の高さが自由に変えられ、叉背もたれ、足もたれが連動でリクライニングが出来て、体調に合わせ使用できる。ベツトがソファ−になり、腰掛けで食事や会話が出来、足腰の屈伸、歩行訓練、ペダル漕ぎ運動、温湯治療、のリハビリが出来る。（デジタル電子コンピュ−タ−組み込みの）赤外線センサ−による危険防止装置付きセルフ・リハビリベット。
【発明の詳細な説明】
【技術分野】
【０００１】  本発明は事故による怪我や脳梗塞等の病気で入院し、いろいろなリハビリをして、回復に努めるが、それには根気が必要である。自発的に自分でリハビリをする事は心理的にも肉体面でもプラスとなり、回復を早める。自己のやる気を起こすリハビリベットに関するものである。
【背景技術】
【０００２】  従来は、病院内ではリハビリをリハビリの部屋で医師や専門の指導員の指導で行うために、時間が限られる。歩行練習は点滴ポ−ルを片手に指導員の付き添い等で病室の廊下でリハビリをしているが、大変である。腰掛け式になるベッドや、歩行訓練やペダル漕ぎ運動のリハビリが出来るベットは無い。叉携帯トイレ使用が出来るベットも無い。【０００３】  回復途上の患者は椅子に腰掛けて、食事を好むものが多い、面会者と腰掛けて話をしたい、温湯の足治療は、腰掛けが望まれる。携帯トイレが使用できるベットを希望者が多い。
【発明の開示】
【発明が解決しようとする課題】
【０００４】
【０００５】  解決しようとする問題点は、「ベット内で食事や面会者への対応が腰掛けでしたい、叉ウオ−カ−による歩行訓練や、ペタル漕ぎ運動が出来る事、また温湯足治療や携帯トイレ使用がベットで出来れば」の回復途上の患者の声を実現するために、ベットの改革を求められた。病室内でも少しでもリハビリを心がけ、自分の根気で、一日でも早い退院の目標を持たせたい。
【課題を解決するための手段】
【０００６】  本発明の回復途上の患者のリハビリベットは、患者自身が単純に操作出来る事、ベット内で腰掛けての食事や面会者への対応が出来るための、椅子式可動装置を備えている。手動（ハンドル手回し）又は自動（電動モ−タ−叉は油圧式）により、椅子式になり、ペダル漕ぎ運動が出来る。ベットの高さも、手動又は自動にて、高さの調整が出来る事により、自発的にリハビリを医師等の指導のもとに出来るのを特徴とする。叉フラットウオ−カ−による歩行訓練用及びペタル漕ぎ用手摺り装置、温湯足治療のための携帯湯槽及び携帯トイレを装入することが出来る。
【発明の効果】
【０００７】  本発明のリハビリベットは、医師の指示により自発的に、リハビリが出来るのは心理面による効果と肉体的な効果の相乗効果がある。叉在宅使用は家族共々のリハビリが出来ることは特に快復を早める。
【発明を実施するための最良の形態】
【０００８】  ベット骨組みは、錆びない軽量な鋼材を使用する。低反発フォ−ムマットレスを使用し、ブレ−キ付きキャスタ−、ブレ−キ付きペダルを設け、組立接合は溶接接合とする。
【実施例】
【００９】  図１はセルフリハビリベット側面図である。【００１０】  軽量形鋼叉はアルミ材に数個の穴を設けた長方形（１９６０）×１０５０）の一端の両巾１／５を残し切断のフレ−ム（２）に数個の穴を設けたフレ−ム（１）を溶接合し、フレ−ム全長の３／９の位置と全巾の両端１／５に中折れ柱（３）をそれぞれフレ−ム（１）にピン接合し、中折れ柱（３）の柱脚にフレ−ム枠（４）をピン接合する。二個の穴を設けた足もたれフレ−ム（７）と二個の穴を設けた背もたれフレ−ム（８）を三個の穴を設けた連動フレ−ム（６）にピン接合し、フレ−ム（１）とフレ−ム（２）の２Ｐ穴に合わせ左右それぞれ丸鋼を通し卦しめ叉は溶接合する。中間に穴を設けた丸鋼（９）中間に雌ネジを設けた丸鋼（９ｎ）をそれぞれ柱中穴に通し卦締め叉は溶接合する。２／３まで雄ネジを設けた（１０）のボ−ルトの一端に大きめのギヤ（１０Ｈ）を嵌め込み丸鋼（９）の穴に差し込み丸ワッシャ−を溶接合する、他端の雄ネジ部を丸鋼（９ａ）にねじこみ取り付ける。小ギヤ−取付の電動モ−タ−（１０Ｍ）をギヤ−（１０Ｈ）に合わせ設置する。
連動フレ−ム（６）の一端の穴に連動調整ボ−ルト（１１）を接続し、雌ネジを設けたギヤ−（１１Ｈ）に調整ボ−ルトネジ部をねじ込む、ギヤ−（１１Ｈ）に電動モ−タ−（１１Ｍ）の小ギヤ−を合わせ取り付ける。
アルミパイプにト−メイアクリ板（１２ａ）を嵌め込みのサイドレ−ル（１２）をフレ−ム（２）の長さの約２／３の位置にサイドレ−ル保持パイプ（１２ｋ）ストッパ−（１２ｓ）付きをそれぞれ溶接合する。ストッパ−を解除すればフォームマット上まで下がる。
数個の穴を設けた溝形鋼をフレ−ム（２）の切断部１／５にそれぞれ溶接合の手摺り支柱（１３）にパイプを∩型にし、数個の穴を設け体に合わせ高さの調整できる回転手摺（１３Ｐ）
木製ヘッドボ−ド（１４）はボ−ルト（１４ｂ）にて固定する。
溝型鋼に固定のペダル漕ぎの取付パイプ（１５）このパイプに回転ペダルをとりつける。
ベット床骨組みが組み上がる。その上にエキスパンドメタル（８ａ）を接合しフォ−ムマットレス（１４ａ．１４ｂ．１４ｃ．１４ｄ）を固定する。マットレスのパットは長さが変わるためゴムバンドで固定する。
電動モ−タ−で手元スイッチ操作でソファ−となり腰掛や立つことが自由で、デジタル電子コンピュ−タ−組み込みと、赤外線センサ−による危険防止装置付きで、ウオ−カ−歩行、ペダル漕ぎ、温湯漕治療、携帯水洗トイレ（別開発）が率先リハビリが出来る。油圧使用も出来る。
【産業上の利用可能性】
【００１１】  病院等でリハビリをするにはリハビリ用の部屋で行うが、部屋の都合や医師・指導員の都合で時間が限られ、患者の積極的な回復努力が妨げられる、著名な医師が「患者にはスピリットが大事である」と言われたが、これに応えるのがこのリハビリベットであり、早い回復に大いに役立つものである。
【図面の簡単な説明】
【００１２】
【図１】    リハビリベット側面図である。
【図２】    リハビリベット骨組平面図ある。
【図３】    リハビリベットマット割り側面図である。
【図４】    リハビリベットマット割り平面図である。
【図５】    リハビリベット使用写真ある。
【図６】    リハビリベット使用と骨組みの写真である。
【符号の説明】
【００１３】１        リハビリベット中折れ柱固定フレ−ム
２        リハビリベット床外フレ−ム
２Ｐ      フレ−ム締め付けパイプ
３        中折れ柱
４        中折れ柱脚固定フレ−ム
５        ブレ−キ付きキャスタ−
６        リクライニングスライド背もたれと、足もたれの連動フレ−ム
2006346382.tif 000003
８ａ      エキスパンドメタル
９        中折れ柱回転パイプ
１０      回転パイプ移動ボ−ルト
１０Ｈ    移動ボ−ルト回転ギヤ−
１０Ｍ    マット高さ調整モ−タ−（リモコン調整）
１１      背もたれ足もたれ連動調整ボ−ルト
１１Ｈ    連動調整ギヤ−
１１Ｍ    背もたれ足もたれ傾斜角度調整モ−タ−（リモコン調整）
１２      上下自在サイドレ−ル
１２ａ    固定ト−メイアクリル板
１２ｋ    サイドレ−ルスライド用固定パイプ
１２ｓ    サイドレ−ル固定ストッパ−
2006346382.tif 000004
１３Ｐｂ  回転パイプ取付ボ−ルト
１４      ヘッドボ−ト
１４ｂ    ヘッドボ−ド固定ボ−ルト
１５ａ    足もたれフォ−ムマット
１５ｂ    尻もたれフォ−ムマット
１５ｃ    背もたれフォ−ムマット
１５ｄ    頭もたれフォ−ムマット（掛け布団溜まり）
１６      赤外線センサ−
【図１】
2006346382.tif 000005
【図２】
2006346382.tif 000006
【図３】
2006346382.tif 000007
【図４】
2006346382.tif 000008
【図５】
2006346382.tif 000009
【図６】
2006346382.tif 000010